(57)【特許請求の範囲】
【請求項１】
スキー板等の整備作業等に際してスキー板等を保持するために使用されるスキー板等の載置用台であって、
スキー板等のビンディングの高さより高くなるように高さが設定された略山形の本体部と、
当該本体部の頂部に略水平に設けられた載置部と、
を有するとともに、
前記載置部は、スキー板等の長手方向と直交する向きに略直線状に形成されるとともに、前記本体部の底部の略中央部と対応するように前記本体部の重心の上方に配置され、前記載置部の両側方部にも前記本体部の底部が存する構成としたことを特徴とするスキー板等の載置用台。
【請求項２】
前記載置部に設けられた滑り止め手段を有することを特徴とする請求項１に記載のスキー板等の載置用台。
【請求項３】
前記本体部は、その底面に滑り止め手段を有するものである請求項１又は２に記載のスキー板等の載置用台。
【請求項４】
前記本体部は、２つの載置用台を組み合わせることができるように、その底部を除いて前記載置部の側方部が切欠かれた部分を有することを特徴とする請求項１から３のいずれか１項に記載のスキー板等の載置用台。
【請求項５】
前記本体部は、スキー板等を横に略９０度立てた状態で挟むことができるように、スキー板等の幅に合わせて前記載置部から下方に切欠き形成した挟持部を有することを特徴とする請求項１から５のいずれか１項に記載のスキー板等の載置用台。
【請求項６】
前記挟持部の間隔は、スノーボード用としては５〜１０ｍｍ程度の範囲内から選択されていることを特徴とする請求項５に記載のスキー板等の載置用台。
【請求項７】
前記挟持部の間隔は、スキー板用としては８〜１５ｍｍ程度の範囲内から選択されていることを特徴とする請求項５に記載のスキー板等の載置用台。
【請求項８】
前記載置部は、その上面が半円柱状であることを特徴とする請求項１から７のいずれか１項に記載のスキー板等の載置用台。
【発明の詳細な説明】
【０００１】
【発明の属する技術分野】
本発明は、スキー板、スノーボード等にワックスを塗布したり、スキー板等のエッジを磨いたりする整備作業等に際してスキー板等を床の上又はテーブルの上等に保持するために使用される簡易で小型・軽量のスキー板等の載置用台に関する。
【０００２】
【従来の技術】
従来、スキー板の調整台又は整備台としては、実公平６−２３３２３号又は実公平７−３１８１０号に示すようなものが知られている。
これらは、金属パイプ等を組み合わせてなるテーブル一体型のものであり、大型で重量もあり、持ち運びができるようなものではない。
一方、テーブル等に挟むクランプ金具を有する小型のものも実開昭５５−１６８３７０号又は特開平６−３９０７６号において提案されている。
【０００３】
【発明が解決しようとする課題】
しかし、上記小型の装置においても、クランプ金具等の構造が複雑となり重量も大きくなるとか、クランプ金具をテーブル等に固定する作業が面倒であるといった問題や、クランプ金具によりテーブル等に傷が付いてしまうという問題があった。
【０００４】
そこで、本発明の目的は、簡易で小型・軽量であり、安価に製造できるとともに、持ち運びも容易なスキー板等の載置用台を提供することにある。
【０００５】
【課題を解決するための手段】
請求項１に記載の発明は、「スキー板等の整備作業等に際してスキー板等を保持するために使用されるスキー板等の載置用台であって、スキー板等のビンディングの高さより高くなるように高さが設定された略山形の本体部と、当該本体部の頂部に略水平に設けられた載置部と、を有するとともに、前記載置部は、スキー板等の長手方向と直交する向きに略直線状に形成されるとともに、前記本体部の底部の略中央部と対応するように前記本体部の重心の上方に配置され、前記載置部の両側方部にも前記本体部の底部が存する構成としたことを特徴とするスキー板等の載置用台。」である。
【０００６】
このスキー板等の載置用台は、床の上又はテーブルの上等に置いて使用するものであり、まずスキー板等を裏向けて載置部と直交する向きでスキー板等を載置部に置く。すると、ビンディング（スキーブーツの止め具）がテーブル等に当たってしまうことなくスキー板等は水平に保たれ、又、載置部の滑り止め手段により整備作業時にスキー板等がズレてしまうことはない。
さらに、本体部が略山形であるため、載置部に加えられるスキー板等の荷重を安定的に支えることができる。
【０００７】
尚、このスキー板等の載置用台は、スキー板等の先端部と後端部に各１つ用いるのが好ましい。
【０００８】
請求項２に記載の発明は、「前記載置部に設けられた滑り止め手段を有することを特徴とする請求項１に記載のスキー板等の載置用台。」である。従って、載置部の滑り止め手段により整備作業時にスキー板等がズレてしまうことはない。
【０００９】
請求項３に記載の発明は、「前記本体部は、その底面に滑り止め手段を有するものである請求項１又は２に記載のスキー板等の載置用台。」である。従って、ワックス塗布の際等においてスキー板と一緒に載置用台がテーブル等の上で滑ってしまうことはない。
【００１１】
これらによれば、載置部が略直線状となっており、スキー板等と狭い面積で接触することから、通常円弧状に反っているスキー板等を載置した場合にも安定的にスキー板等を保持でき、さらに、その荷重は、載置部を介して本体部の底部中央から均等に分散されるため、本体部が傾くことなく安定的に使用できる。
【００１２】
請求項４に記載の発明は、「前記本体部は、２つの載置用台を組み合わせることができるように、その底部を除いて前記載置部の側方部が切欠かれた部分を有することを特徴とする請求項１から３のいずれか１項に記載のスキー板等の載置用台。」である。従って、本体部の大きさと重量を小さくすることができ、さらに、梱包又は運搬の際には２つの載置用台の切欠かれた部分を組み合わせることにより、コンパクトに収納することができる。
【００１３】
請求項５に記載の発明は、「前記本体部は、スキー板等を横に略９０度立てた状態で挟むことができるように、スキー板等の幅に合わせて前記載置部から下方に切欠き形成した挟持部を有する請求項１から５のいずれか１項に記載のスキー板等の載置用台。」である。従って、スキー板等を横に略９０度立てた状態で挟み、エッジを磨く作業等を行うこともできる。
【００１４】
請求項６に記載の発明は、「前記挟持部の間隔は、スノーボード用としては５〜１０ｍｍ程度の範囲内から選択されていることを特徴とする請求項５に記載のスキー板等の載置用台。」である。請求項７に記載の発明は、「前記挟持部の間隔は、スキー板用としては８〜１５ｍｍ程度の範囲内から選択されていることを特徴とする請求項５に記載のスキー板等の載置用台。」である。
【００１５】
従って、スキー板のエッジを磨く場合等において、スキー板を横に略９０度立てた状態で挟む場合には、前記挟持部にスキー板の端部を遊挿した後、スキー板又は前記本体部をスライドさせれば、スキー板の中央部寄りの板厚が徐々に増大する位置にて前記挟持部によりスキー板を確実に挟持することができる。
【００１６】
請求項８に記載の発明は、「前記載置部は、その上面が半円柱状である請求項１から７のいずれか１項に記載のスキー板等の載置用台。」である。
従って、載置部はその頂部においてスキー板等と一直線にて（狭い面積で）接触するため、スキー板等をより安定的に保持できる。
【００１７】
【発明の実施の形態】
次に、本発明のスキー板等の整備作業等に際してそのスキー板等を保持するために使用されるスキー板等の載置用台について図面に従って説明する。
図１から図４に示すように、本発明のスキー板等の載置用台１は、少なくともスキー板１０等のビンディング１１の高さより高くなるように高さが設定された（好適には約１０５ｍｍ程度であるが、適宜数ｍｍから数十乃至は１００ｍｍ程度変更してもよい）略山形の本体部２と、当該本体部２の頂部水平に設けられた略直線状の載置部３と、当該載置部３に設けられた滑り止め手段４と、を有している。
【００１８】
本明細書において、「略山形」とは、主として断面略三角形状の柱状の立体を横にした形状を意味するが、略円錐台状（富士山型）も含むものとする。
【００１９】
前記載置部３の滑り止め手段４は、載置部３の周縁部を除き若干低く凹設した凹部に嵌め込むように厚さ約３ｍｍの発泡合成樹脂（ＥＰＴゴム）等からなるシートを貼着することにより設けられている。従って、載置部３上のスキー板１０のズレを防止できる。
又、前記本体部２の底面には、同じく発泡合成樹脂等からなる滑り止め手段５が貼着されている。従って、スキー板１０等の整備作業中に載置用台１が動いてしまうことはない。
上記各滑り止め手段４，５の厚さは、好ましくは０．５〜３．５ｍｍ程度である。
【００２０】
前記載置部４は、前記本体部２の底部７の略中央部と対応するようにその中央部（重心）の上方に配置され、さらに、前記本体部２は、その底部７を除いて載置部３の一側方部が切欠かれた形状に形成されている。従って、載置部３は、本体部２の底部７から約１００度の角度をなす（オーバーハング状態）ように形成されている。この角度は、適宜数度乃至数十度の範囲で増減させてもよい。
【００２１】
さらに、前記本体部２は、スキー板１０等を横に略９０度立てた状態で挟むことができるように、スキー板１０等の幅に合わせて前記載置部３の中央部から下方に切欠き形成した挟持部６を有している。
【００２２】
前記挟持部６は、スキー板１０の端部を遊挿した後、スキー板１０又は前記本体部２をスライドさせることにより、スキー板１０の中央部寄りの板厚が徐々に増大する位置にてスキー板１０を確実に挟持することができるように間隔が設定されている。本実施例においては、この挟持部６の間隔は、約１０ｍｍとなっており、長さ１４０ｃｍ以上の大部分のスキー板１０に対応するようになっているが、対応すべきスキー板１０に応じて適宜変更してもよいことは勿論である。
【００２３】
即ち、前記挟持部６の間隔は、スキー板１０用としては８〜１５ｍｍ程度の範囲で選択するのが好ましく、スノーボード用としては、５〜１０ｍｍ程度の範囲で選択するのが好ましい。
【００２４】
子供用の短く薄いスキー板に対応させるには、この挟持部６の間隔を狭くすればよい。又、間隔の異なる挟持部６を２つ並べて切欠き形成してもよい。あるいは、挟持部６の内面に紙又は布等を配置して挟み込めば、短く薄いスキー板等にも対応できる。
【００２５】
前記本体部２は、好ましくは合成樹脂等から中空状に形成され、軽量なものとしているが、発泡樹脂等にて内部も充填することにより一体成形してもよい。
さらに、載置用台１全体を滑りにくい材質の発泡樹脂等にて一体成形すれば、別部材の滑り止め手段４，５を貼着等により設ける必要がなく、製造が非常に容易となる。尚、この場合、内部を充填しても中空状としてもよい。
【００２６】
次に、上記構成されたスキー板等の載置用台１の使用方法（作用）について説明する。
この載置用台１は、図４に示すように、テーブル１２の上又は床面等に置いて使用するものであり、まずスキー板１０等を裏向けて載置部３と直交する向きで載置部３上に置く。すると、ビンディング１１がテーブル１２等に当たってしまうことなくスキー板１０等は水平に保たれる。又、滑り止め手段４，５が設けられているため、コルク１３を用いたワックスの塗布又はエッジシャープナーによるエッジを磨く整備作業時にスキー板１０等がズレてしまうことはない。
【００２７】
さらに、本体部２は山形でその頂部の載置部３が略直線状となっており、接触面積が狭くなっていることから、通常円弧状に反っているスキー板１０等を載置した場合に、荷重が載置部３を介して本体部２の底部に均等に分散され、整備作業時においても本体部２が傾くことなく安定的に使用できる。即ち、本発明の載置用台１は、本体部２を必要最小限の大きさと重量で安定使用できる形状となっている。
【００２８】
さらに、上記のような形状とすることにより、梱包又は運搬の際には、図５に示すように２つの載置用台１の切欠かれた部分を組み合わせることにより、コンパクトに収納することができる。
【００２９】
又、前記載置部３の形状としては、図６に示すように上面が半円柱状（かまぼこ状）であることも好ましい。この場合、前記載置部３上にＥＰＴゴム等の軟質ゴム等から構成した滑り止め手段４を嵌め込んで固定したり、半円柱状の載置部３に発泡合成樹脂等からなる滑り止め手段としてのシートを貼着して実施してもよい。
【００３０】
尚、このスキー板１０等の載置用台１は、１つのみでも使用できるが、テーブル１２上に直接置かれるスキー板１０の一端部等によりテーブル１２面等を傷付けるおそれがあり、図４に示すようにスキー板１０等の先端部と後端部に各１つ用いるのが好ましい。
【００３１】
図７に示すように、スキー板１０等のエッジをエッジシャープナー１４にて磨く場合等において、スキー板１０等を横に略９０度立てた状態で挟む場合には、前記挟持部６にスキー板１０の端部を遊挿した後、スキー板１０又は前記本体部２をスライドさせる。すると、スキー板１０の中央部寄りの板厚が徐々に増大する位置にて前記挟持部６の両内側面によりスキー板１０を確実に挟持できる。
【００３２】
尚、この場合、スキー板１０の幅の約半分程度が挟持部６にて挟持され、約半分程度が載置部３より上方に露出するように挟持部６の高さ（深さ）が設定されている（好ましくは約４０ｍｍ程度）ため、エッジシャープナー１４等の使用に際して載置部３が邪魔になることはない。
この挟持部６の深さは、本体部２の大きさにもよるが、約３０〜５０ｍｍ程度の範囲で選択するのが好ましい。
【００３３】
本発明は、上記実施例に限定されるものではなく、例えば、本体部２の材質を滑り難いものとすることにより、載置部３自体を滑り止め手段を有するものとして実施したり、本体部２底面の滑り止め手段５を省略したり、載置部３の側方部を切欠くことなく構成したり、載置部３の両側方部を切欠いて全体を断面逆Ｔ字状にして実施したり、挟持部６を省略して実施したり、本発明の趣旨を逸脱しない範囲で各部の形状、寸法、材質、数量等を変更してもよい。
【００３４】
【発明の効果】
以上詳述したように、本発明においては、簡易で小型・軽量であり、安価に製造できるとともに、持ち運びも容易なスキー板等の載置用台を提供することができるという優れた効果を奏する。
【００３５】
特に請求項１に記載の載置用台は、テーブルの上等に置いて使用するものであり、まずスキー板等を裏向けて載置部に置く。すると、スキー板等のビンディングがテーブル等に当たってしまうことなくスキー板等は水平に保たれる。又、請求項２に記載の載置用台は、載置部の滑り止め手段により整備作業時にスキー板等がズレてしまうことはない。
【００３６】
さらに、本体部は山形でその頂部の載置部が略水平となっていることから、スキー板等を載置した場合に、荷重が確実に載置部を介して本体部の底部に均等に分散されるため、本体部が傾くことなく安定的に使用できる。
【００３７】
請求項３に記載の載置用台は、その本体部底面の滑り止め手段により、ワックス塗布の際等においてスキー板等と一緒に載置用台がテーブル等の上で滑ることを防止することができる。
【００３８】
これらは、載置部が、本体部の底部の略中央部と対応するように前記本体部の重心の上方に配置されているので、スキー板等の荷重は、載置部を介して本体部の底部中央から均等に分散されるため、本体部が傾くことなく安定的に使用できる。
【００３９】
また、載置部が略直線状となっていることから、通常円弧状に反っているスキー板等を（載置部と直交する向きで）載置した場合にスキー板等からの荷重が左右に移動することなく略同一の直線上に加えられるため、安定的にスキー板等を保持することができる。さらに、その荷重は、載置部を介して本体部の底部中央から均等に分散されるため、本体部が傾くことなく安定的に使用できる。
【００４０】
請求項４に記載の載置用台は、その本体部が底部を除いて前記載置部の側方部が切欠かれた形状に形成されているため、本体部の大きさと重量を小さくすることができ、さらに、梱包又は運搬の際には２つの載置用台の切欠かれた部分を組み合わせることにより、コンパクトに収納することができる。
【００４１】
請求項５に記載の載置用台は、その本体部がスキー板等を横に略９０度立てた状態で挟むことができるように、スキー板等の幅に合わせて前記載置部から下方に切欠き形成した挟持部を有するため、スキー板等を横に略９０度立てた状態で挟み、エッジを磨く作業等を行うこともできる。
【００４２】
請求項７に記載の載置用台は、その挟持部がスキー板の端部を遊挿した後、スキー板又は前記本体部をスライドさせることにより、スキー板の中央部寄りの板厚が徐々に増大する位置にてスキー板を確実に挟持することができるように幅が設定されているため、スキー板のエッジを磨く場合等において、前記挟持部にスキー板の端部を遊挿した後、スキー板又は前記本体部をスライドさせれば、スキー板の中央部寄りの板厚が徐々に増大する位置にて前記挟持部によりスキー板を確実に挟持することができる。
【００４３】
請求項８に記載の載置用台は、載置部はその頂部においてスキー板等と一直線にて（狭い面積で）接触するため、スキー板等をより安定的に保持できる。
【図面の簡単な説明】
【図１】  本発明の載置用台の好適実施例の全体斜視図である。
【図２】  本発明の載置用台の側面図である。
【図３】  本発明の載置用台の正面図。
【図４】  本発明の載置用台の使用状態を示す正面図である。
【図５】  本発明の載置用台の収納状態を示す正面図である。
【図６】  本発明の載置用台の別の実施例の載置部を示す斜視図。
【図７】  本発明の載置用台の使用状態の他の例を示す正面図。
【符号の説明】
１    載置用台
２    本体部
３    載置部
４    滑り止め手段
５    滑り止め手段
６    挟持部
７    底部
１０  スキー板
１１  ビンディング
１２  テーブル（床面）
１３  コルク
１４  エッジシャープナー
【図１】
0003924688.tif 000002
【図２】
0003924688.tif 000003
【図３】
0003924688.tif 000004
【図４】
0003924688.tif 000005
【図５】
0003924688.tif 000006
【図６】
0003924688.tif 000007
【図７】
0003924688.tif 000008